(57)【特許請求の範囲】
【請求項１】
受端子を収容する端子収容孔と、前方に自由端を有し前記受端子を係止する係止ランスと、前記受端子の前方への移動を規制する前壁と、該前壁に設け相手側の挿込端子を挿通させる端子挿通口とを有し、前記自由端の先端に前記端子挿通口に向けて突片を形成し、該突片の前端面を前記前壁の前面に略一致させ、該突片に治具挿入用の治具口を形成したことを特徴とするコネクタ。
【発明の詳細な説明】
【０００１】
【発明の属する技術分野】
本発明は、例えば自動車の電気配線に使用され、接続端子の抜け出しを防止するための係止ランスを備えたコネクタに関するものである。
【０００２】
【従来の技術】
一般にこの種のコネクタは、図５の断面斜視図及び図６の縦断面図に示すようなハウジング１と、図示しない相手側ハウジングとが結合される構成になっており、ハウジング１の端子収容孔２には図示しない例えば受端子が収容されるようになっている。端子収容孔２に収容された受端子は、前壁３により前方への移動が規制されると共に、係止ランス４により後方への抜け出しが防止される。
【０００３】
そして、前壁３には図示しない挿込端子の挿込端を挿通させる端子挿通口５と、図示しないフロントホルダをホルダ収容室６に挿通させるホルダ挿通口７とが設けられ、これらの端子挿通口５とホルダ挿通口７は連通口８により連通されている。この連通口８は、もともと射出成型時に係止ランス４の型抜きのために必要とするものであり、係止ランス４の前方に位置付けられ、係止ランス４と受端子の係止状態を解除する際に治具等が挿通されるようになっている。
【０００４】
【発明が解決しようとする課題】
ところが、係止ランス４の長さは係止ランス４と受端子の係止状態を容易に解除できるように短くされ、その前端面４ａは前壁３から奥まった所に位置付けられている。例えば、図７に示すようにハウジング１に受端子９を収容し、相手側ハウジング１０に挿込端子１１を収容して、これらのハウジング１と相手側ハウジング１０とを組み合わせると、ハウジング１と１０が斜めになり、かつ挿込端子１１の挿込端１１ａに変形がある場合には、挿込端子１１の挿込端１１ａが、図８に示すように受端子９の下方の連通口８に進入することがある。そして、挿込端１１ａの一面のみが受端子９の外面に接触した状態になって、電気的接続が保持される可能性はあるが、ハウジング１と１０の嵌合が完全ではないという問題が生ずる。
【０００５】
本発明の目的は、上述した問題点を解消し、収容した受端子の側方に相手側の挿込端子が進入することを防止すると共に、前方から治具を挿入して受端子をランスから取り外しできるコネクタを提供することにある。
【０００６】
【課題を解決するための手段】
上記目的を達成するための本発明に係るコネクタは、受端子を収容する端子収容孔と、前方に自由端を有し前記受端子を係止する係止ランスと、前記受端子の前方への移動を規制する前壁と、該前壁に設け相手側の挿込端子を挿通させる端子挿通口とを有し、前記自由端の先端に前記端子挿通口に向けて突片を形成し、該突片の前端面を前記前壁の前面に略一致させ、該突片に治具挿入用の治具口を形成したことを特徴とする。
【０００７】
【発明の実施の形態】
図１は参考例の断面斜視図、図２は参考例の縦断面図であり、ハウジング２１は合成樹脂材料により形成され、ハウジング２１の上段には図示しない受端子を収容するための複数の端子収容孔２２が設けられている。端子収容孔２２の前端部には、受端子の前方への移動を規制する前壁２３が設けられ、この前壁２３には、ガイド面２４ａを有し図示しない相手側の挿込端子を挿通させる端子挿通口２４が形成されている。
【０００８】
ハウジング２１の前方部中段には、受端子を係止してその後方への抜け出しを防止する可撓性を有する係止ランス２５が、ハウジング２１の中間部２１ａから前方に向けて設けられている。ハウジング２１の前方部下段には、図示しないフロントホルダを収容するホルダ収容室２６が設けられ、このホルダ収容室２６の前壁２３側はホルダ挿通口２７とされている。そして、端子挿通口２４とホルダ挿通口２７の間は連通口２８により連通されている。
【０００９】
ここで係止ランス２５は、ハウジング２１の中間部２１ａを基部とし前端部を自由端とした可撓アーム部２５ａと、この可撓アーム部２５ａの上面に突設され受端子を係止する係止部２５ｂと、自由端側の一側面に形成された構溝２５ｃとを備えている。係止ランス２５の自由端は、可撓アーム部２５ａの前端面２５ｄが前壁２３の前面に略一致するように連通口２８内に延在されている。ホルダ収容室２７の底壁には、係止ランス２５の撓み範囲を拡大するためのランス逃し溝２９が形成されており、このランス逃し溝２９は従来よりも伸長された係止ランス２５と受端子の係止状態を解除可能にするためのものである。
【００１０】
このように構成されたハウジング２１の端子収容孔２２に受端子を挿入すると、係止ランス２５が受端子に押圧されてその自由端が連通口２８内で下方へ移動し、受端子はその前端が前壁２３に当接して前方への移動が規制される。同時に、受端子は復元した係止ランス２５により係止されて後方への抜け出しが防止される。この状態で図示しないフロントホルダをホルダ挿通口２７からホルダ収容室２６に押し込むと、係止ランス２５の下面がフロントホルダにより支持され、係止ランス２５の受端子に対する係止力が補強される。
【００１１】
受端子とフロントホルダを収容したハウジング２１に、挿込端子を収容した図示しない相手側ハウジングを斜め方向から組み合わせると、挿込端子の挿込端が下方に変形している場合には、挿込端が係止ランス２５の前端面２５ｄに当接する。これにより、作業者は挿込端子が正確な位置にないことを認識することができ、挿込端子と受端子の不完全な状態でのハウジング２１と相手側ハウジングとの結合を防止できる。
【００１２】
一方、受端子をハウジング２１から抜き取る際には、係止ランス２５を下方へ撓ませてその自由端をランス逃し溝２９内に逃すことにより、受端子と係止部２５ｂの係止を解除できる。この際には、従来のように奥まった所に位置付けられた係止ランスまで届く治具を必要とせず、係止解除の作業を容易に行うことができる。そして、ハウジング２１を形成する金型は、従来の金型を若干改造するだけでよく、その構造も簡素にすることができる。
【００１３】
図３は実施例の断面斜視図、図４は縦断面図であり、ハウジング３１には参考例とは形状の異なる係止ランス３２が設けられている。即ち、係止ランス３２の可撓アーム部３２ａは前述の参考例よりも若干幅が狭くされ、係止部３２ｂも可撓アーム部３２ａよりも若干幅が狭くされている。可撓アーム部３２ａの自由端には、端子挿通口３３側に向けた突片３２ｃが一体に形成されている。可撓アーム部３２ａの前面と突片３２ｃの前面は平坦に連続する前面３２ｄとされ、この前面３２ｄの位置は参考例と同様に前壁２３の前面と略一致されている。
【００１４】
また、突片３２ｃの上部には端子挿通口３３のガイド面３３ａと一致するガイド面３２ｅが形成され、このガイド面３２ｅに当接した挿込端を端子挿通口３３に容易に導くことができるようになっている。そして、参考例のランス逃し溝２９が省かれ、突片３２ｃには小径な治具口３２ｆが形成されている。これにより、係止ランス３２の自由端を大きく撓ませずに、治具口３２ｆから挿通した治具により受端子と係止部３２ｂの係止を解除することができる。
【００１５】
この本実施例では、係止ランス３２に突片３２ｃを設けたので、挿込端子の挿込端が受端子の外側に進入することを完全に防止できる。また、突片３２ｃにガイド面３２ｅを形成したので、挿込端を受端子側へ容易に案内することができる。
【００１６】
【発明の効果】
以上説明したように本発明に係るコネクタは、係止ランスに設けた突片に治具口を形成することで、この治具口から治具を挿通して受端子と係止部の係止を解除することができ、しかも係止ランスの前端面を前壁の外面に一致させたので、相手側の挿込端子が変形していても、挿込端子の進入を係止ランスの前端面で規制することができ、挿込端子が受端子の側方に進入することを防止できる。
【図面の簡単な説明】
【図１】  参考例の断面斜視図である。
【図２】  参考例の縦断面図である。
【図３】  実施例の断面斜視図である。
【図４】  実施例の縦断面図である。
【図５】  従来例の断面斜視図である。
【図６】  従来例の縦断面図である。
【図７】  従来例のハウジング同士を結合した状態の断面図である。
【図８】  従来例のハウジング同士を更に結合した状態の断面図である。
【符号の説明】
２１、３１  ハウジング
２２  端子収容孔
２３  前壁
２５、３２  係止ランス
２８  連通口
３２ａ  可撓アーム部
３２ｂ  係止部
３２ｃ  突片
３２ｄ  前面
３２ｅ  ガイド面
３２ｆ  治具口
【図１】
0003679162.tif 000002
【図２】
0003679162.tif 000003
【図３】
0003679162.tif 000004
【図４】
0003679162.tif 000005
【図５】
0003679162.tif 000006
【図６】
0003679162.tif 000007
【図７】
0003679162.tif 000008
【図８】
0003679162.tif 000009